(57)【特許請求の範囲】
【請求項１】
人体の臀部方向に開放され、人体から排出される大便を受ける第１処理空間が形成され、内部に収容空間が形成された本体；
内部には人体から排出される小便を受ける第２処理空間が形成され、前記第２処理空間の一側には使用者の身体に対向するように開放された開口部が形成されて男性性器の少なくとも一部が挿入できるように形成され、前記本体に備えられる男性用モジュール；及び
前記収容空間に備えられ、前記第１処理空間及び前記第２処理空間のうち、少なくともいずれか一つと連通されて排泄物を前記本体の外部へ排出させる吸入口；
を含み、
前記男性用モジュールは、
前記第２処理空間に露出され、前記第２処理空間に挿入された男性性器を圧搾固定する性器固定部を含み、
前記性器固定部は、
一側が前記第２処理空間に露出され、他側が前記男性用モジュールの外側に露出され、外部の操作によって前記第２処理空間に露出される長さが調節できるように形成された調節部材を含む、
排泄物処理装置。
【請求項２】
前記男性用モジュールは、
少なくとも一部が上下回転できるように形成された、請求項１に記載の排泄物処理装置。
【請求項３】
前記男性用モジュールは、
前記本体に結合される結合ユニット；及び
前記結合ユニットと連結され、前記第２処理空間が形成された性器挿入ユニット；
を含む、請求項１に記載の排泄物処理装置。
【請求項４】
前記性器挿入ユニットは、前記結合ユニットに対して上下回転できるように連結される、請求項３に記載の排泄物処理装置。
【請求項５】
前記性器挿入ユニットは、
前記結合ユニットに連結される連結部；及び
前記連結部の前方に備えられ、前記開口部が形成された挿入部；
を含む、請求項３に記載の排泄物処理装置。
【請求項６】
前記挿入部は、前記連結部に着脱できるように形成された、請求項５に記載の排泄物処理装置。
【請求項７】
前記挿入部は、前記連結部に対して線形移動できるように形成され、前記性器挿入ユニットの長さが調節できるように形成された、請求項５に記載の排泄物処理装置。
【請求項８】
前記挿入部の後端には、所定の長さに形成され、前記連結部の内側に挿入される延長部が形成され、
前記連結部には、前記延長部を固定させる固定部材が備えられた、請求項７に記載の排泄物処理装置。
【請求項９】
前記挿入部の後端には、前記挿入部の長手方向に沿って複数の係止溝が形成され、
前記連結部には、前記複数の係止溝のうち、いずれか一つに選択的に結合される係止部材が備えられた、請求項７に記載の排泄物処理装置。
【請求項１０】
前記挿入部の後端の周りには、ねじ山が形成され、
前記連結部には、前記挿入部のねじ山に噛合されるねじ山が形成され、回転によって前記挿入部を前後移動させる回転部材が備えられた、請求項７に記載の排泄物処理装置。
【請求項１１】
前記結合ユニットは、前記本体に着脱できるように形成された、請求項３に記載の排泄物処理装置。
【請求項１２】
前記結合ユニットは、
所定の長さに突出されて前記本体に挿入される結合部を含む、請求項１１に記載の排泄物処理装置。
【請求項１３】
前記本体と前記結合部との結合の深さが調節できるように形成された、請求項１２に記載の排泄物処理装置。
【請求項１４】
前記結合部の全体の長さの中で一部の長さの周りを包むように一つ以上備えられ、個数の加減によって前記本体と前記結合部との結合の深さを調節する結合調節部材をさらに含む、請求項１３に記載の排泄物処理装置。
【請求項１５】
前記性器固定部は、前記第２処理空間に露出された長さが調節できるように形成された、請求項１に記載の排泄物処理装置。
【請求項１６】
前記性器固定部は、
前記調節部材の一側に備えられ、男性性器を圧搾固定する圧搾部材を含む、請求項１に記載の排泄物処理装置。
【請求項１７】
前記男性用モジュールの少なくとも一部は、
前記第２処理空間が外部に露出されるように周りの一部が開放された複数の開放領域と、前記複数の開放領域の間に設けられた非開放領域とを含む、請求項１に記載の排泄物処理装置。
【請求項１８】
前記男性用モジュールの周りを包むように形成され、前記開放領域を遮蔽するスキンをさらに含む、請求項１７に記載の排泄物処理装置。
【発明の詳細な説明】
【技術分野】
【０００１】
本発明は、人体から排泄される排泄物を自動的に処理する排泄物処理装置に関し、より詳細には、男性の身体形態に対応する男性用モジュールを含み、前記男性用モジュールの開口部が人体に対向するように形成された排泄物処理装置に関するものである。
【背景技術】
【０００２】
一般に、患者、お年寄りなど、挙動が不自由、又は下体を思う通りに挙動することの困難な人々は、自ら排泄物を処理する能力がないので、常に保護者または介護人が継続的に周りに居なければならないという不便さがあった。
【０００３】
よって、このような不便さを解消するために、身体に直接接触して排泄物を収去する排泄物処理器が研究及び開発されている。このような排泄物処理器は、使用者の排泄物を受け、その排泄物を吸入して処理器の外側に排出させるように設計され、使用者の周りに保護者または介護人がいなくても自動的に排泄物を処理できるようにする。
【０００４】
ただし、今まで開発された従来の排泄物処理器は、排泄物の処理機能のみに集中する場合が多くて、使用者の身体を考慮せずに設計されたため、非常に使用性が低い問題がある。一般的に、排泄物が排泄される臀部、または性器の周りは、屈曲が大きいので、排泄物処理器を密着させにくい構造を有する。これによって排泄物が人体と排泄物処理器との間から漏れる場合が多く発生している。
【０００５】
また、患者またはお年寄りなど、排泄物処理器を使う使用者は、ベッドに横になった状態で生活する場合が多くて、自ら姿勢を変えることができない状況も多く発生している。このような状態が長期間続く場合は、床ずれなどが発生するので、周期的に姿勢を変える必要がある。しかし、排泄物処理器を着用した状態では姿勢を変えることができないので、排泄物処理器をとり除かなければならない煩わしさがあった。
【０００６】
さらに、性別によって身体が異なるように形成されるので、性別によって排泄物処理器の構造を変える必要があるが、従来は性別に特化した排泄物処理器に対して研究及び開発されたことがなく、不便であった。
【０００７】
したがって、このような問題点を解決するための方法が求められている。
【発明の概要】
【発明が解決しようとする課題】
【０００８】
本発明は、上述した従来技術の問題点を解決するために案出された発明であって、使用者が着用した状態で排泄物の漏れを防止し、着用感を向上させることができる排泄物処理装置を提供するためのものである。
【０００９】
また、着用した状態でも挙動が制限されない排泄物処理装置を提供するためである。
【００１０】
そして、男性の身体形態に特化された構造を提供することができる排泄物処理装置を提供するためである。
【００１１】
本発明の課題は以上で言及した課題に限定されない、言及されていない他の課題は、以下の記載により当業者が明確に理解することができる。
【課題を解決するための手段】
【００１２】
前記目的を達成するための本発明の人体対向開口部が形成された男性用モジュールを含む排泄物処理装置は、人体の臀部方向に開放され、人体から排出される大便を受ける第１処理空間が形成され、内部に収容空間が形成された本体、内部には人体から排出される小便を受ける第２処理空間が形成され、前記第２処理空間の一側には使用者の身体に対向するように開放された開口部が形成されて男性性器の少なくとも一部が挿入できるように形成され、前記本体に備えられる男性用モジュール、及び前記収容空間に備えられ、前記第１処理空間及び前記第２処理空間のうち、少なくともいずれか一つと連通されて排泄物を前記本体の外部へ排出させる吸入口を含む。
【００１３】
そして、前記男性用モジュールは、内面の少なくとも一部が下向きに傾いた曲線状に形成されてもよい。
【００１４】
また、前記男性用モジュールは、少なくとも一部が上下回転できるように形成されてもよい。
【００１５】
そして、前記男性用モジュールは、前記本体に結合される結合ユニット、及び前記結合ユニットと連結され、前記第２処理空間が形成された性器挿入ユニットを含んでもよい。
【００１６】
また、前記性器挿入ユニットは、前記結合ユニットに対して上下回転できるように連結されてもよい。
【００１７】
そして、前記性器挿入ユニットは、前記結合ユニットに連結される連結部、及び前記連結部の前方に備えられ、前記開口部が形成された挿入部を含んでもよい。
【００１８】
また、前記挿入部は、前記連結部に着脱できるように形成されてもよい。
【００１９】
そして、前記挿入部は、前記連結部に対して線形移動できるように形成され、前記性器挿入ユニットの長さが調節できるように形成されてもよい。
【００２０】
また、前記挿入部の後端には、所定の長さに形成され、前記連結部の内側に挿入される延長部が形成され、前記連結部には、前記延長部を固定させる固定部材が備えられてもよい。
【００２１】
そして、前記挿入部の後端には、前記挿入部の長手方向に沿って複数の係止溝が形成され、前記連結部には、前記複数の係止溝のうち、いずれか一つに選択的に結合される係止部材が備えられてもよい。
【００２２】
また、前記挿入部の後端の周りには、ねじ山が形成され、前記連結部には、前記挿入部のねじ山に噛合されるねじ山が形成され、回転によって前記挿入部を前後移動させる回転部材が備えられてもよい。
【００２３】
そして、前記結合ユニットは、前記本体に着脱できるように形成されてもよい。
【００２４】
また、前記結合ユニットは、所定の長さに突出されて前記本体に挿入される結合部を含んでもよい。
【００２５】
そして、前記本体と前記結合部との結合の深さが調節できるように形成されてもよい。
【００２６】
また、前記結合部の全体の長さの中で一部の長さの周りを包むように一つ以上備えられ、個数の加減によって前記本体と前記結合部との結合の深さを調節する結合調節部材をさらに含んでもよい。
【００２７】
そして、前記男性用モジュールは、前記第２処理空間に露出され、前記第２処理空間に挿入された男性性器を圧搾固定する性器固定部を含んでもよい。
【００２８】
また、前記性器固定部は、前記第２処理空間に露出された長さが調節できるように形成されてもよい。
【００２９】
そして、前記性器固定部は、一側が前記第２処理空間に露出され、他側が前記男性用モジュールの外側に露出され、外部での操作によって前記第２処理空間に露出される長さが調節できるように形成された調節部材、及び前記調節部材の一側に備えられ、男性性器を圧搾固定する圧搾部材を含んでもよい。
【００３０】
また、前記男性用モジュールの少なくとも一部は、前記第２処理空間が外部に露出されるように周りの一部が開放された複数の開放領域と、前記複数の開放領域の間に設けられた非開放領域とを含んでもよい。
【００３１】
そして、前記男性用モジュールの周りを包むように形成され、前記開放領域を遮蔽するスキンをさらに含んでもよい。
【発明の効果】
【００３２】
前記課題を解決するための本発明の人体対向開口部が形成された男性用モジュールを含む排泄物処理装置は、次のような効果がある。
【００３３】
第一、臀部に対応する本体と、男性性器に対応する男性用モジュールを含むので安楽な着用感を提供し、着用した状態でも使用者は、動きが制限されることなく、姿勢を自由に変更できる利点がある。
【００３４】
第二、男性の身体構造に特化した男性用モジュールを提供するので、動きの自由度が高い男性の性器を安定的に固定させ、排泄物を円滑に処理することができる利点がある。
【００３５】
第三、男性の性器方向に対応するように開口部が下向きの形態であるため、使用者が着用する際に、異物感なく性器を自然に位置させることができ、他人による着用が行われる場合にも容易に着用できるという利点がある。
【００３６】
第四、男性用モジュールが男性性器の位置及び体位に応じて回転できるように形成されるので、使用者が着用する際に異物感なく性器を自然に位置させることができ、他人によって着用される場合にも容易に着用できるという利点がある。
【００３７】
本発明の効果は、以上で言及した効果に限定されない、言及されていない別の効果は、請求範囲の記載によって当業者に明確に理解される。
【図面の簡単な説明】
【００３８】
【図１】本発明の第１実施例による排泄物処理装置の全体を示す斜視図。
【図２】本発明の第１実施例による排泄物処理装置において、本体の内部構造を示す側面図。
【図３】本発明の第１実施例による排泄物処理装置を使用者が着用した状態を示す側面図。
【図４】本発明の第１実施例による排泄物処理装置において、男性用モジュールを詳しく示す斜視図。
【図５】本発明の第１実施例による排泄物処理装置において、男性用モジュールを別の方向から示す側面図。
【図６】本発明の第１実施例による排泄物処理装置において、男性用モジュールが本体に結合された状態を示す斜視図。
【図７】本発明の第１実施例による排泄物処理装置において、男性用モジュールの性器挿入ユニットが上下方向に回転される様子を示す斜視図。
【図８】本発明の第１実施例による排泄物処理装置において、性器挿入ユニットの連結部と挿入部とが分離された状態を示す斜視図。
【図９】本発明の第１実施例による排泄物処理装置において、性器挿入ユニットの内部構造を示す断面図。
【図１０】本発明の第１実施例による排泄物処理装置において、伸縮アダプダーが男性用モジュールに結合される様子を示す斜視図。
【図１１】本発明の第１実施例による排泄物処理装置において、男性用モジュールと本体との間に結合調節部材が備えられる様子を示す側面図。
【図１２】本発明の第２実施例による排泄物処理装置において、性器挿入ユニットの連結部と挿入部とが分離された状態を示す斜視図。
【図１３】本発明の第３実施例による排泄物処理装置において、性器挿入ユニットを示す斜視図。
【図１４】本発明の第４実施例による排泄物処理装置において、性器挿入ユニットを示す斜視図。
【図１５】本発明の第５実施例による排泄物処理装置において、性器挿入ユニットを示す斜視図。
【発明を実施するための形態】
【００３９】
以下に、本発明の目的が具体的に実現され得る本発明の望ましい実施例について添付の図面を参照して説明する。本実施例を説明するにあたり、同じ構成に対しては同じ名称及び同じ符号が使われ、これによる付加的な説明は省略する。
【００４０】
図１は、本発明の第１実施例による排泄物処理装置の全体を示す斜視図であって、図２は、本発明の第１実施例による排泄物処理装置において、本体１０の内部構造を示す側面図である。
【００４１】
図１及び図２に図示されたように、本発明の第１実施例による排泄物処理装置は、本体１０と、男性用モジュール１００と、吸入口３５を含む。
【００４２】
前記本体１０は、人体の臀部方向に開放され、人体から排出される大便を受ける第１処理空間３０が形成され、内部に収容空間が形成される。
【００４３】
本実施例において、前記本体１０は、使用者の脚の間に対応する幅を有し、また使用者のそけい部に対応する高さを有する。
【００４４】
一方、以下での説明の便宜のために、前記第１処理空間３０の開放された方向を前方と定義し、反対方向を後方と定義する。また、男性用モジュール１００が備えられた方向を上部、反対方向を下部と定義する。
【００４５】
すなわち、使用者は本体１０の両側に脚を伸ばした状態で、臀部を第１処理空間３０側に安着させて安定的に排泄物処理装置１を着用することができる。
【００４６】
本実施例において、前記第１処理空間３０の周りには、使用者のそけい部及び臀部に対応する曲線を有する安着部１５を備え、着用感を増大させるようにした。そして、第１処理空間３０の下部の前方には、使用者の臀部を支える支持部２０が備えられる。前記支持部２０は、ナチュラルな曲線を有するように前記安着部１５に連結され、使用者の身体を楽に支えることができる。
【００４７】
また、前記第１処理空間３０の内側には、前記第１処理空間３０の排泄物を感知する感知センサー３２が備えられる。感知センサー３２が前記第１処理空間３０の排泄物を感知した場合、吸入口３５を通じて、別途の吸入装置に前記第１処理空間３０の排泄物を吸入させることができる。
【００４８】
吸入口３５は、前記本体１０の収容空間に備えられた排泄物流動管３７の内側に形成され、前記第１処理空間３０と連通されて前記第１処理空間３０の排泄物を前記本体１０の外部へ排出させる構成要素である。このように本体１０の外部へ排出された排泄物は、所定の貯蔵所に貯蔵されることもでき、または貯蔵されずに排出されてもよい。
【００４９】
特に、本実施例において、本体１０の後方には別途の吸入装置に連結された外部の連結管が前記収容空間の内側に引き込まれるようにする貫通部４０が形成される。
【００５０】
一方、本実施例の場合、前記吸入口３５は、前記第１処理空間３０と連通されるものとしたが、これと異なり、前記吸入口３５は、後述する男性用モジュール１００の第２処理空間（Ｓ、図９参照）に直接連結されてもよい。これについては後述する。
【００５１】
また、前記本体１０の収容空間には、様々な構成要素が備えられてもよい。本実施例において、前記収容空間内には、前述した吸入口３５が形成された排泄物流動管３７をはじめ、流路転換部５０と送風部７０とが備えられる。
【００５２】
前記流路転換部５０は、貫通部４０を通じて流入された洗浄水流動管５６に連結され、外部より洗浄水を伝達する構成要素であり、ソレノイドバルブなどを通じて洗浄水を前記第１処理空間３０及び後述する第２処理空間（Ｓ、図９参照）のうち、少なくともいずれか一側に供給することができる。
【００５３】
具体的に、本実施例の場合、流路転換部５０に貯蔵された洗浄水は、第１供給管５２を通じて第１処理空間３０側へ、第２供給管５４を通じて第２処理空間（Ｓ、図９参照）側へ流れる。そして、前記第１処理空間３０側に流れた洗浄水は、第１噴射部６０によって前記第１処理空間３０に噴射され、第２処理空間（Ｓ、図９参照）側に流動された洗浄水は、後述する噴射ノズル（１３５、図９参照）を通じて第２処理空間（Ｓ、図９参照）に噴射される。
【００５４】
送風部７０は、前記第１処理空間３０に乾燥風を送る構成要素であって、送風ファンなどで乾燥風を発生させ、前記第１処理空間３０に露出された乾燥風噴射口を通じて第１処理空間３０側へ乾燥風を送ることができる。また、乾燥風の昇温のためにヒーターがさらに備えられてもよい。
【００５５】
そして、本実施例において、本体１０の後面には外部の空気を流動させて収容空間の内部を換気することができる空気流入口１２が形成される。
【００５６】
以上のような本体１０の構成は、一実施例であって、前記収容空間内に備えられる構成要素は、多様な形態に変更されたり、加減されたりすることができる。
【００５７】
図３は、本発明の第１実施例による排泄物処理装置を使用者が着用した状態を示す側面図である。
【００５８】
図３に図示されたように、使用者は、ベッドなどに横になった状態で本体１０の安着部１５をそけい部及び臀部に密着させ、本体１０の両側に脚を伸ばした状態になる。そして、このような状態で、本体１０の上部に備えられた男性用モジュール１００の内側に性器を挿入することで安定的に排泄物処理装置を着用することができる。
【００５９】
このように本発明の一実施例による排泄物処理装置は、人体の形態に対応するように形成されるので、使用者が排泄物処理装置に合わせて姿勢を無理に変更する必要がなく、自然な姿勢を維持することができる。
【００６０】
さらに、使用者が姿勢を側方などに多様に変更する場合にも、排泄物処理装置は、離脱することなく、使用者の身体に沿って移動するので、使用者が動く場合にも脚の間に位置する状態で、動きに支障を与えない。
【００６１】
以下には、前記男性用モジュール１００についてより詳しく説明する。
【００６２】
図４は、本発明の第１実施例による排泄物処理装置において、男性用モジュール１００を詳細に示す斜視図であって、図５は本発明の第１実施例による排泄物処理装置において、男性用モジュール１００を別の方向から示す側面図である。
【００６３】
図４及び図５に図示されたように、男性用モジュール１００は、その内部に人体から排出される小便を受ける第２処理空間（Ｓ、図９参照）が形成され、前記第２処理空間（Ｓ、図９参照）は、一側に使用者の人体に対向するように開放された開口部１２２が形成されることによって前記開口部１２２を通じて男性性器の少なくとも一部を挿入できるように形成される。
【００６４】
そして、本実施例において、前記開口部１２２は、使用者の性器部に対向するように下向きに開口された形態を有する。
【００６５】
このように本発明による男性用モジュール１００は、開口部１２２が使用者の身体に対向するように形成されるので、使用者が、本体（１０、図１参照）が安着された状態で性器を自然に男性用モジュール１００の内側に挿入することができ、姿勢の変化または性器の位置変化による制約を最小化することができる。
【００６６】
本実施例の場合、前記男性用モジュール１００は、前記本体（１０、図１参照）に結合される結合ユニット１５０、及び前記結合ユニット１５０に連結される性器挿入ユニット１１０を含む。
【００６７】
また、前記性器挿入ユニット１１０は、前記結合ユニット１５０に連結される連結部１３０、及び前記連結部１３０の前方に備えられ、前記開口部１２２が形成された挿入部１２０を含む。
【００６８】
前記結合ユニット１５０と前記性器挿入ユニット１１０、そして前記連結部１３０と前記挿入部１２０の間の連結関係については後述する。
【００６９】
そして、本実施例において、前記結合ユニット１５０は、本体（１０、図１参照）と結合される結合部１７０を含み、前記結合部１７０は、所定の長さに突出されて前記本体（１０、図１参照）に挿入されてもよい。
【００７０】
一方、本実施例の場合、前記結合部１７０の後方に補助結合部１８０がさらに備えられ、前記補助結合部１８０も所定の長さで突出されて前記本体（１０、図１参照）に挿入される。このとき、前記補助結合部１８０は、前述した第２供給管（５４、図２参照）に連結されて洗浄水を噴射ノズル１３５側に伝達するように形成される。すなわち、前記補助結合部１８０は、男性用モジュール１００の結合時の結合を補助する一方、洗浄水の流動経路を形成する。
【００７１】
また、本実施例における性器挿入ユニット１１０の連結部１３０の下部には、前記第２処理空間（Ｓ、図９参照）を前記第１処理空間（３０、図１参照）と連通させる排泄物伝達部１４０が形成される。前記排泄物伝達部１４０の内側には、連通流路１４２が形成され、前記第２処理空間（Ｓ、図９参照）に収容された小便または洗浄水を前記第１処理空間（１０、図１参照）側へ伝達する。
【００７２】
このように、本実施例では前記第２処理空間（Ｓ、図９参照）と前記第１処理空間（１０、図１参照）とを互いに連通されるものにしたが、これと異なり、相互独立的に分離された状態に形成することもできる。このような場合、前述したように、吸入口（３５、図１参照）が分枝されて前記第２処理空間（Ｓ、図９参照）と前記第１処理空間（３０、図１参照）とのそれぞれに連結されてもよい。
【００７３】
図６は、本発明の第１実施例による排泄物処理装置において、本体１０に男性用モジュール１００が結合された状態を示す斜視図である。
【００７４】
図６に図示されたように、本実施例で前記男性用モジュール１００は、本体１０に着脱できるように形成される。このとき、前記本体１０と前記結合ユニット１５０との結合の深さを調節することもでき、これについては後述する。
【００７５】
そして、本実施例と異なり、前記男性用モジュール１００は、前記本体１０と一体に形成されてもよい。
【００７６】
図７は、本発明の第１実施例による排泄物処理装置において、男性用モジュールの性器挿入ユニット１１０が上下方向に回転される様子を示す斜視図である。
【００７７】
図７に図示されたように、本実施例で前記性器挿入ユニット１１０は、前記結合ユニット１５０に対して上下方向に回転できるように結合される。
【００７８】
具体的に、前記性器挿入ユニット１００の連結部１３０の両側には、回転軸を形成する軸突起１３２が突出して形成されて、前記結合ユニット１５０には前記軸突起１３２が挿入される挿入溝が形成される。したがって、前記性器挿入ユニット１００は、全体的に上下方向に回転されることができ、これによって使用者が前記性器挿入ユニット１００に性器を挿入した状態で体位を変化させる場合にも、前記性器挿入ユニット１００は、性器の動きに対応するように回転され、異物感が生じないようにすることができる。
【００７９】
さらに、最初に性器を前記性器挿入ユニット１００に挿入する場合にも、前記性器挿入ユニット１００を適宜回転させて容易に着用できる利点がある。
【００８０】
一方、本実施例の場合、前記性器挿入ユニット１００を最初の位置へ戻す復元部材１３８がさらに備えられる。前記復元部材１３８は、前記性器挿入ユニット１００が回転された場合、これを最初の位置へ戻すために弾性力を提供し、本実施例における前記復元部材１３８は、トーションスプリングの形態に形成されて前記軸突起１３２に接するように備えられる。
【００８１】
図８は、本発明の第１実施例による排泄物処理装置において、性器挿入ユニット１１０の連結部１３０と挿入部１２０とが分離された状態を示す斜視図であって、図９は、本発明の第１実施例による排泄物処理装置において、性器挿入ユニット１１０の内部構造を示す断面図である。
【００８２】
図８及び図９に図示されたように、本実施例において性器挿入ユニット１１０の連結部１３０と挿入部１２０とは、互いに着脱できるように形成される。そして、前記挿入部１２０は、前記連結部１３０に対して線形移動できるように形成され、前記性器挿入ユニット１１０の長さが調節できるように形成される。
【００８３】
すなわち、前記挿入部１２０を前記連結部１３０から前後に移動させることで使用者の身体のサイズに対応するように前記性器挿入ユニット１１０の長さを調節することができ、このような長さ調節方式は多様な方法で具現されてもよい。
【００８４】
本実施例の場合、前記挿入部１２０の後端には、所定の長さに形成されて前記連結部１３０の内側に挿入される延長部１２１が形成され、前記連結部１３０には、前記延長部１２１を固定させる固定部材１３６が備えられる。
【００８５】
具体的に、本実施例において、前記連結部１３０には、前記固定部材１３６が貫く第１貫通孔１３７が形成され、前記第１貫通孔１３７には、前記固定部材１３６の周りに形成されたねじ山と噛合されるねじ山が形成され、前記固定部材１３６の回転によって前記延長部１２１の押圧度合を調節することができる。
【００８６】
ただし、前記固定部材１３６が前記延長部１２１を固定させる方式はこれに限定されることなく、多様な方法で具現されてもよい。例えば、前記延長部１２１に複数の貫通孔が順次に形成され、前記固定部材１３６は、前記第１貫通孔１３７と、前記延長部１２１における貫通孔の一つとに同時に挿入される方式で延長部１２１を固定させてもよい。
【００８７】
また、連結部１３０から前記挿入部１２０が完全に分離された場合、使用者の性器を前記挿入部１２０に予め挿入した状態で前記連結部１３０に結合させ、より容易に性器を男性用モジュールの内側に挿入することもできる。このような場合、使用者の性器を前記挿入部１２０に挿入した状態で、反対側から尿道の開口方向を確認して正確な位置に性器を位置させ、前記連結部１３０に結合することができるので、より容易に使用することができる。
【００８８】
一方、本実施例における前記男性用モジュールは、前記第２処理空間Ｓに露出され、前記第２処理空間Ｓに挿入された男性性器を圧搾固定する性器固定部１９０を含む。
【００８９】
特に、本実施例における前記性器固定部１９０は、前記挿入部１２０側に形成されて、前記第２処理空間Ｓに露出された長さが調節できるように形成される。
【００９０】
より具体的に、前記性器固定部１９０は、一側が前記第２処理空間Ｓに露出され、他側が前記男性用モジュールの外側に露出されて、外部での操作によって前記第２処理空間Ｓに露出された長さが調節できるように形成された調節部材１９２と、前記調節部材１９２の一側に備えられて、男性性器を圧搾固定する圧搾部材１９４を含む。
【００９１】
このとき、前記挿入部１２０には、第２貫通孔１２４が形成され、前記第２貫通孔１２４には、前記調節部材１９２の周りに形成されたねじ山と噛合されるねじ山が形成され、前記調節部材１９２の回転によって前記圧搾部材１９４が移動される。
【００９２】
すなわち、前記性器固定部１９０は、性器の位置または大きさが状況によって変化する場合にも性器が定位置から離脱しないように固定することができる。このとき、使用者の痛みを最小化するために前記圧搾部材１９４の少なくとも一部は、伸縮性を有するように形成されてもよい。
【００９３】
そして、前述したように、本実施例において前記連結部１３０には、洗浄水を噴射する噴射ノズル１３５が形成される。このとき、洗浄水は、第２供給管（５４、図２参照）と、補助結合部（１８０、図６参照）とを通じて前記連結部１３０の後方に形成された流入管１３４に流入し、前記噴射ノズル１３５を通じて噴射される。
【００９４】
一方、本発明による男性用モジュールは、前述したように、開口部１２２が人体に対向するように形成され、このときの前記男性用モジュールは、内面の少なくとも一部が下向きに傾いた曲線状に形成されてもよい。すなわち、前記男性用モジュールの内面が下向きに傾いた曲線状に形成されることにより、前記性器の曲率に対応し、これによってより快適な着用感を提供することができる。
【００９５】
本実施例の場合、前記挿入部１２０の内面が下向きに傾いた曲線状に形成されるようにしたが、これと異なり、前記性器挿入ユニット１１０の内面全体が曲線状に形成されてもよく、または別の一部領域が曲線状に形成されてもよい。
【００９６】
図１０は、本発明の第１実施例による排泄物処理装置において、伸縮アダプダー１４５が男性用モジュールに結合される様子を示す斜視図である。
【００９７】
図１０に図示されたように、本実施例の場合、前記男性用モジュールの開口部の周りに着脱できるように備えられ、少なくとも人体に接触される領域が伸縮性を有するように形成された伸縮アダプダー１４５をさらに含んでもよい。
【００９８】
すなわち、前記伸縮アダプダー１４５は、使用者の着用感をより向上させることができ、使用者が性器を前記男性用モジュールに挿入するとき、開口部の周りによって性器に傷つくことを防止する。
【００９９】
本実施例における前記伸縮アダプダー１４５は、前記男性用モジュールの開口部に対応する形状に形成されて前記開口部に結合される締結部１４８と、前記締結部１４８の側面及び下部を包むように形成され、伸縮性を有する材質で形成された緩衝部１４７とを含む形態を有する。
【０１００】
図１１は、本発明の第１実施例による排泄物処理装置において、男性用モジュール１００と本体１０との間に結合調節部材１９５が備えられる様子を示す側面図である。
【０１０１】
前述したように、前記男性用モジュール１００は、前記本体１０との結合の深さを調節するように形成され、これは多様な方法で具現されてもよい。
【０１０２】
本実施例の場合、前記結合部１７０の全体の長さの中で一部の長さの周りを包むように一つ以上が備えられ、個数の加減によって前記本体１０と前記結合部１７０との結合の深さを調節する結合調節部材１９５を含む。
【０１０３】
すなわち、前記結合調節部材１９５は、前記男性用モジュール１００と前記本体１０との間に一つ以上備えられてもよく、前記結合部１７０が前記本体１０内に完全に挿入されないように所定の距離を離間する役割を果たす。
【０１０４】
このとき、前記結合調節部材１９５は複数個が備えられてもよく、個数が増加することによって前記男性用モジュール１００の高さをより高く形成することができる。したがって、使用者の身体のサイズによって前記結合調節部材１９５の個数を加減して使用することができる。
【０１０５】
そして、本実施例のような方式の他にも、前記男性用モジュール１００の結合の深さを調節する方法は様々である。例えば、前記男性用モジュール１００の結合部１７０及び補助結合部１８０は、段階的スライディング方式で前記本体１０に挿入されることで結合の深さを調節することもできる。
【０１０６】
図１２は、本発明の第２実施例による排泄物処理装置において、性器挿入ユニット２１０の連結部２３０と挿入部２２０が分離された状態を示す斜視図である。
【０１０７】
図１２に図示された本発明の第２実施例の場合、男性用モジュール２００の全ての構成要素が前述した第１実施例と同様に形成されるが、連結部２３０と挿入部２２０との結合方式が異なるように形成される。
【０１０８】
具体的に、本実施例の場合、前記挿入部２１０の後端には、前記挿入部２１０の長手方向に沿って複数の係止溝２２７が形成され、前記連結部２３０には、前記複数の係止溝２２７の中でいずれか一つに選択的に結合される係止部材２３７が備えられる。
【０１０９】
すなわち、前記係止部材２３７が前記複数の係止溝２２７の中で、どの係止溝２２７に結合されるかによって前記性器挿入ユニット２１０の長さを決めることができる。
【０１１０】
そして、本実施例において、前記係止部材２３７は、ヒンジ方式で備えられた弾性部材２３８によって前記係止溝２２７を押圧する形態を有し、この時の使用性を向上させるために前記係止部材２３７の後方には、使用者が前記係止部材２３７を操作できるように押え部２３６が形成される。
【０１１１】
図１３は、本発明の第３実施例による排泄物処理装置において、性器挿入ユニットを示す斜視図である。
【０１１２】
図１３に図示された本発明の第３実施例の場合、男性用モジュール２００の全ての構成要素が前述した第１実施例及び第２実施例と同様に形成されるが、前記性器挿入ユニット３１０の形態がやや異なるように形成される。
【０１１３】
具体的に、本実施例において前記男性用モジュール３００の少なくとも一部は、内側の第２処理空間が外部へ露出されるように周りの一部が開放された複数の開放領域３２０ｂと、前記複数の開放領域３２０ｂの間に備えられた非開放領域３２０ａとを含む。すなわち、本実施例の場合、前記男性用モジュール３００の少なくとも一部は、前記第２処理空間が外部に露出されるように骨格の形態を有する。
【０１１４】
このとき、本実施例の場合、挿入部３２０に前記開放領域３２０ｂが形成されるものにしたが、これと異なり、連結部３３０も前記開放領域３２０ｂを有するように形成されることができる。
【０１１５】
そして、図示はしていないが、このような場合、前記男性用モジュール３００の周りを包むように形成されて前記開放領域３２０ｂを遮蔽するスキンが備えられてもよい。前記スキンはゴム、布などの柔軟性を有する材質で形成され、前記男性用モジュール３００に被せたり、男性用モジュール３００から外したりすることができる。前記スキンを入れ替えて使用することで、より衛生的に排泄物処理装置を使うことができる利点がある。
【０１１６】
図１４は、本発明の第４実施例による排泄物処理装置において、性器挿入ユニット４１０を示す斜視図である。
【０１１７】
図１４に図示された本発明の第４実施例の場合、男性用モジュール４００の全ての構成要素が前述した第１実施例と同様に形成されるが、連結部４３０と挿入部４２０との結合方式が異なるように形成される。
【０１１８】
具体的に、本実施例において、前記挿入部４２０の後端の周りには、ねじ山４２７が形成される。そして、前記連結部４３０には、前記挿入部４２０のねじ山４２７に噛合されるねじ山が形成され、回転によって前記挿入部４２０を前後移動させる回転部材４４０が備えられる。
【０１１９】
すなわち、本実施例の場合、前記回転部材４４０は、前記連結部４３０の前端に回転できるように結合され、このような状態で前記挿入部４２０は、前記回転部材４４０によって固定される。そして、前記回転部材４４０が回転する際、前記挿入部４２０のねじ山４２７と回転部材４４０のねじ山によって、前記挿入部４２０は前後方向にスライディングされる。
【０１２０】
このように、前記挿入部４２０の線形移動方式が多様に具現されることを確認できる。
【０１２１】
図１５は、本発明の第５実施例による排泄物処理装置において、性器挿入ユニット５１０を示す斜視図である。
【０１２２】
図１５に図示された本発明の第５実施例の場合、前記男性用モジュール５１０は、男性性器の下部に対応する領域に陷沒された前立腺保護溝５２４が形成される。
【０１２３】
すなわち、本実施例の場合、第２処理空間５２３の下部が陷沒された形態に形成され、これによって使用者が性器を前記男性用モジュール５１０に挿入した状態で、前立腺部位が男性用モジュール５１０によって圧迫されることを防止することができる。
【０１２４】
本実施例では、挿入部５２０の下部の全体の長さにわたって前立腺保護溝５２４が形成されることにしたが、前記前立腺保護溝５２４は、前記挿入部５２０下部の一部の長さのみに形成された形態であってもよい。
【０１２５】
また、前記前立腺保護溝５２４は、図示されていない連結部側に形成されてもよい。
【０１２６】
以上のように、本発明に係る望ましい実施例を説明したが、前述した実施例の他にも本発明の趣旨や範疇から脱することなく、別の特定形態で具体化できるという事実は、当該技術に通常の知識を有する者には自明なことである。したがって、上述した実施例は限定的なものではなく例示的なものとされるべきであり、これによって、本発明は上述した説明に限定されず、添付の請求項の範疇及びそれと同等な範囲内で変更されてもよい。
【図１】
0006533578.tif 000002
【図２】
0006533578.tif 000003
【図３】
0006533578.tif 000004
【図４】
0006533578.tif 000005
【図５】
0006533578.tif 000006
【図６】
0006533578.tif 000007
【図７】
0006533578.tif 000008
【図８】
0006533578.tif 000009
【図９】
0006533578.tif 000010
【図１０】
0006533578.tif 000011
【図１１】
0006533578.tif 000012
【図１２】
0006533578.tif 000013
【図１３】
0006533578.tif 000014
【図１４】
0006533578.tif 000015
【図１５】
0006533578.tif 000016